(57)【要約】【課題】スタンドをテレビジョン受像機に固定する際は、テレビジョン受像機を持ち上げる必要があり、さらにユーザがテレビジョン受像機を持ち上げている場合には、テレビジョン受像機の穴とスタンドの突起の位置関係を視認できない為、スタンドの突起とテレビジョン受像機の穴とを合致させることが困難であるため、テレビジョン受像機にスタンドを固定させることが困難であること。【解決手段】テレビジョン受像機を保持するスタンドを固定するスタンド固定手段は、溝形状の切り込みと前記溝状の切込みに挿入された前記スタンドの突起部を固定する突起固定手段とからなることを特徴とする。【選択図】図１
2008067033.tif 000002
【特許請求の範囲】
【請求項１】
テレビジョン受像機を保持するスタンドを固定するスタンド固定手段を備えたテレビジョン受像機であって、
前記スタンド固定手段は、溝形状の切り込みと前記溝状の切込みに挿入された前記スタンドの突起部を固定する突起固定手段とからなることを特徴とするテレビジョン受像機。
【請求項２】
さらに前記溝状の切り込みを覆う補強手段を備えたことを特徴とする請求項１に記載のテレビジョン受像機。
【請求項３】
前記補強手段は少なくとも１つ以上の穴部を備えており、
前記穴部を通じて前記突起固定手段の固定をはずすことが可能であることを特徴とする請求項２に記載のテレビジョン受像機。
【請求項４】
さらに前記スタンドと前記スタンド固定手段の位置決めをする位置決め手段を備えたことを特徴とする請求項１乃至３に記載のテレビジョン受像機。
【発明の詳細な説明】
【技術分野】
【０００１】
本発明はテレビジョン受像機に関するものである。
【背景技術】
【０００２】
近年、テレビジョン受像機は薄型化によりブラウン管より液晶やプラズマ等へ移行している。これらの大型商品の多くにはスタンドや台によりテレビジョン受像機本体を固定保持する場合が多い。
【０００３】
この固定保持を知らせる技術として、板金製の足片をスタンドへ取り付け、テレビジョン受像機へ固定する方法が紹介されている。
【０００４】
この従来技術は、テレビジョン受像機の下端部背面に板金製のベース板４から立ち上げた板金製の脚片５を重ね合わせてビス止めする。脚片の段差とテレビジョン受像機段差によりテレビジョン受像機の上下方向の位置が決まる（例えば特許文献１参照）。
【０００５】
また、商品として既に店頭に並んでいる商品においてはテレビジョン受像機底面の穴にスタンドの突起部を差し込む構造も見受けられる。
【０００６】
これらの従来技術について図６を用いて説明する。図６は従来の実施の形態の一例の斜視図であって、１はテレビジョン受像機、３はスタンド、７はビスである。
【０００７】
図６はテレビジョン受像機１をユーザが持ち上げスタンド３の突起部にテレビジョン受像機１の底面にある穴１５を差し込み、その後ビス７にて固定する。
【特許文献１】特開２００２−３６９１０３号公報
【発明の開示】
【発明が解決しようとする課題】
【０００８】
従来のテレビジョン受像機においてはスタンドをテレビジョン受像機に固定する場合は以下の手順を要する。その手順とは、スタンドを平面上に置き、テレビジョン受像機を持ち上げ、テレビジョン受像機の穴とスタンドの突起を合わせて、テレビジョン受像機を下ろす。以上の作業によりユーザはスタンドをテレビジョン受像機に固定することができる。
【０００９】
しかしながら、上述のようにユーザはスタンドをテレビジョン受像機に固定する際は、テレビジョン受像機を持ち上げる必要があり、さらにユーザがテレビジョン受像機を持ち上げている場合には、テレビジョン受像機の穴とスタンドの突起の位置関係を視認できない為、スタンドの突起とテレビジョン受像機の穴とを合致させることが困難であるため、テレビジョン受像機にスタンドを固定させることが困難であるという課題がある。
【課題を解決するための手段】
【００１０】
上記課題を解決するために本発明のテレビジョン受像機は、テレビジョン受像機を保持するスタンドを固定するスタンド固定手段を備えたテレビジョン受像機であって、前記スタンド固定手段は、溝形状の切り込みと前記溝状の切込みに挿入された前記スタンドの突起部を固定する突起固定手段とからなることを特徴とする。これにより、テレビジョン受像機などを底緩衝材に乗せたまま、テレビジョン受像機にスタンドを取り付けることができる。
【００１１】
また、スタンドをテレビジョン受像機より取り外す際はスタンドをテレビジョン受像機に取り付けた後にテレビジョン受像機に補強板を取り付けることにより、テレビジョン受像機とスタンドを仮固定した状態から、テレビジョン受像機を上方へ取り外すことが出来る。また、前記スタンドをテレビジョン受像機より取り外す際は、補強板を取り外すことによりテレビジョン受像機を後方へも取り外す事が出来る。
【発明の効果】
【００１２】
以上のように構成された本発明によると、テレビジョン受像機へのスタンドの取り付けと取り外しを、設置者がテレビジョン受像機を持ち上げること無くでき、また目視しなければならない作業を排除することができる為、ユーザはテレビジョン受像機にスタンドを容易に固定することができる。
【発明を実施するための最良の形態】
【００１３】
以下本発明を実施するための最良の形態について、図面を参照しながら説明する。
【００１４】
（実施の形態１）
図１は、本発明の実施の形態の一例の斜視図であって、１はテレビジョン受像機、２は緩衝材、３はスタンド、４はビスである。
【００１５】
テレビジョン受像機１は緩衝材２に乗せられたままの状態であり、これがパッキングケースの底箱の入った状態でもスタンド３の取付けに支障をきたさなければこの状態の方が開梱状態そのもののため望ましい。スタンド３はテレビジョン受像機１の近傍に準備されている状態である。
【００１６】
テレビジョン受像機１の後方よりスタンド３をテレビジョン受像機１の前方へ滑らせるように移動させテレビジョン受像機１に設けられた溝１１へスタンド３の突起部３１を嵌め合わせる。その後、テレビジョン受像機１のビス穴１２とスタンド３のビス穴３２を一致させ、ビス４にてテレビジョン受像機１とスタンド３を固定する。
【００１７】
以上のように本発明によると、スタンドをテレビジョン受像機に固定させる際に、ユーザはテレビジョン受像機を持ち上げることなく、また、スタンドの突起をテレビジョン受像機の溝に容易に誘導できる為、ユーザはテレビジョン受像機にスタンドを容易に固定することができる。
【００１８】
また、図２に示すようにテレビジョン受像機１を固定する緩衝材２にスタンド乗せ部２１を設けても良い。この場合、スタンド乗せ部２１によりスタンド３は自動的に適切な高さに設定される為、ユーザはテレビジョン受像機にスタンドを容易に固定することができる。
【００１９】
（実施の形態２）
図３は、本発明の実施の形態の一例の斜視図であって、１はテレビジョン受像機、２は緩衝材、３はスタンド、４はビス、５は補強板、６はビスである。
【００２０】
図３は本実施の形態におけるテレビジョン受像機の組み立て後を示す斜視図である。テレビジョン受像機１に補強板５をビス６にて固定する。補強板５は十分に強度を有するものである。
【００２１】
これにより、スタンドを取り外す際には図１で説明した逆の手順でスタンド３を取り外す事が出来る。ここで逆の手順とは緩衝材２などでテレビジョン受像機１を固定し、ビス４を外すことによりスタンド３をテレビジョン受像機１の後方へと取り外すことを示す。
【００２２】
また、テレビジョン受像機１がスタンド３により自立したままでの取り外しも可能となる。テレビジョン受像機１に補強板５が取り付いたままの状態で補強板５に設けられた穴５１よりテレビジョン受像機１とスタンド３を固定しているビス４を取り外す。この時、テレビジョン受像機１はスタンド３に仮固定された状態となり自立するものとする。ユーザがテレビジョン受像機１を上方へ持ち上げることによりテレビジョン受像機１からスタンド３を取り外すことができる。
【００２３】
この補強板５をスタンド３取り付けよりも先にテレビジョン受像機１に取り付けておくことにより、従来と同じくテレビジョン受像機１を持ち上げてスタンド３へ差し込むこともできる。
【００２４】
以上のように本発明によると、テレビジョン受像機からスタンドを取り外す際に、開固定された状態のまま、スタンドのテレビジョン受像機に対する固定をはずすことができるので、ユーザの負担を減らし作業効率を上げる事が出来る。
【００２５】
（実施の形態３）
図４と図５は本発明装置の実施の形態の一例の斜視図であって、１はテレビジョン受像機、２は緩衝材、３はスタンドである。
【００２６】
図４と図５はテレビジョン受像機とスタンドの位置決めを示したものである。
【００２７】
図４はテレビジョン受像機１の溝１１のビス止め部をフランジ状の突起部１３とし、これにスタンド３の突起部３２のビス止め部に設けた座ぐり３３を嵌め合わせることでテレビジョン受像機１とスタンド３の位置を決めることが出来る。
【００２８】
また、図５ではテレビジョン受像機１に設けた溝１４にスタンド３の突起部３１に設けた突起部３４を横方向へスタンド３を移動させながら嵌め合わせる事により位置決めを行うことが出来る。
【００２９】
以上のように本発明によると、位置決めを容易に行うことが出来るのでテレビジョン受像機とスタンドの組み立てを簡単に確実に行うことが出来る。
【産業上の利用可能性】
【００３０】
本発明のスタンド取り付け機構は、スタンドのテレビジョン受像機への取り付けを容易に確実に行うことが出来、有用である。
【図面の簡単な説明】
【００３１】
【図１】本発明の実施の形態１におけるテレビジョン受像機を示す斜視図
【図２】本発明の実施の形態１におけるテレビジョン受像機の他の一例を示す斜視図
【図３】本発明の実施の形態２におけるテレビジョン受像機を示す斜視図
【図４】本発明の実施の形態３におけるテレビジョン受像機を示す斜視図
【図５】本発明の実施の形態３におけるテレビジョン受像機の他の一例を示す斜視図
【図６】従来のテレビジョン受像機の一例の斜視図
【符号の説明】
【００３２】
１    テレビジョン受像機
２    緩衝材
３    スタンド
４    ビス
５    補強板
６    ビス
７    ビス
１１    溝
１２    ビス止め部
１３    突起
１４    溝
１５    穴
２１    スタンド乗せ部
３１    突起部
３２    ビス止め部
３３    座ぐり
３４    突起
５１    穴
【図１】
2008067033.tif 000003
【図２】
2008067033.tif 000004
【図３】
2008067033.tif 000005
【図４】
2008067033.tif 000006
【図５】
2008067033.tif 000007
【図６】
2008067033.tif 000008